(57)【特許請求の範囲】
【請求項１】
冬や夏の外気状態を冷却装置と暖房装置により再生する外気再生室３０を設け、外気再生室３０内に、高断熱材を使用して遮蔽した高断熱仕様部屋１と、低断熱材を使用して遮蔽した低断熱仕様部屋２を設け、該外気再生室３０内と高断熱仕様部屋１内と低断熱仕様部屋２内にそれぞれ温度センサー２３・２４を配置し、外気再生室３０の室外３４に温度表示装置を配置して、各部屋の温度をそれぞれ温度表示装置にて表示したことを特徴とする室内の断熱効果視認体験装置。
【請求項２】
請求項１記載の室内の断熱効果視認体験装置において、該高断熱仕様部屋１と低断熱仕様部屋２内に温度分布検知カメラ１９・２０をそれぞれ配置し、外気再生室３０の室外３４に、該温度分布検知カメラ１９・２０の映像を映すモニター１５・１６を配置し、該モニター１５・１６で表面温度に応じた色に変えて、高断熱仕様部屋１と低断熱仕様部屋２内を表示したことを特徴とする室内の断熱効果視認体験装置。
【請求項３】
請求項１記載の室内の断熱効果視認体験装置において、前記高断熱仕様部屋１と低断熱仕様部屋２の壁の一部の断面を外気再生室３０の室外３４から見えるようにしたことを特徴とする室内の断熱効果視認体験装置。
【請求項４】
請求項１記載の室内の断熱効果視認体験装置において、前記高断熱仕様部屋１と低断熱仕様部屋２の床の一部の断面を外気再生室３０の室外３４から見えるようにしたことを特徴とする室内の断熱効果視認体験装置。
【請求項５】
請求項１記載の室内の断熱効果視認体験装置において、外気再生室３０と室外３４の内外を仕切る壁に複数の窓を形成し、該窓に低放射複層ガラス、普通複層ガラス、単板ガラスをそれぞれ嵌め込み、外気再生室３０内を冷やして結露の発生を再現するようにしたことを特徴とする室内の断熱効果視認体験装置。
【発明の詳細な説明】
【０００１】
【発明の属する技術分野】
本発明は、これから住宅を建設しようとする住宅建築予定者が、十分に断熱性能を知って、納得した上で住宅を設計出来るようにする体験装置に関する。
【０００２】
【従来の技術】
従来から住宅建築において床下や天井裏や壁内部に断熱材を配置して、室内の温度が外気温に合わせて夏には高くなったり、冬に低くなったりすることを防止し、更に、冷房した室内温度が外気で温められたり、暖房した室内温度が室外へ逃げないようにして、出来るだけ室内温度が一定となるようにして快適に過ごせるようにしている。
また、断熱性能が低い窓においても、二重ガラスとして、ガラスとガラスの間に空気層を作ることによって断熱効果を高めることは従来から行われている。
【０００３】
【発明が解決しようとする課題】
しかし、住宅の設計において、建築予定者は断熱材の有無や配置や厚さ等については、設計前の要望として提案することができても、実際に、どれだけ効果があるかは判らなかったのである。
逆に、施工業者や設計者等が断熱材の必要性を言葉や写真等で説明しても、実際の温度変化や温度差等は判らず、具体的には、断熱材の厚さに対する室内温度の差や、単板ガラスと複層ガラスに対する室内温度の差等が判らず、建築予定者にとって十分納得のいくものではなかったのである。
本発明は、このような不具合を解消するものであり、現実にその変化や差等が目で判るようにするものである。
【０００４】
【課題を解決するための手段】
本発明の解決しようとする課題は以上の如くであり、次に該課題を解決するための手段を説明する。
請求項１においては、冬や夏の外気状態を冷却装置と暖房装置により再生する外気再生室３０を設け、該外気再生室３０内に、高断熱材を使用して遮蔽した高断熱仕様部屋１と、低断熱材を使用して遮蔽した低断熱仕様部屋２を設け、該外気再生室３０内と高断熱仕様部屋１内と低断熱仕様部屋２内にそれぞれ温度センサー２３・２４を配置し、外気再生室３０の室外３４に温度表示装置を配置して、各部屋の温度をそれぞれ温度表示装置にて表示したものである。
【０００５】
請求項２においては、請求項１記載の室内の断熱効果視認体験装置において、該高断熱仕様部屋１と低断熱仕様部屋２内に温度分布検知カメラ１９・２０をそれぞれ配置し、外気再生室３０の室外３４に、該温度分布検知カメラ１９・２０の映像を映すモニター１５・１６を配置し、該モニター１５・１６で表面温度に応じた色に変えて、高断熱仕様部屋１と低断熱仕様部屋２内を表示したものである。
【０００６】
請求項３においては、請求項１記載の室内の断熱効果視認体験装置において、前記高断熱仕様部屋１と低断熱仕様部屋２の壁の一部の断面を外気再生室３０の室外３４から見えるようにしたものである。
【０００７】
請求項４においては、請求項１記載の室内の断熱効果視認体験装置において、前記高断熱仕様部屋１と低断熱仕様部屋２の床の一部の断面を外気再生室３０の室外３４から見えるようにしたものである。
【０００８】
請求項５においては、請求項１記載の室内の断熱効果視認体験装置において、外気再生室３０と室外３４の内外を仕切る壁に複数の窓を形成し、該窓に低放射複層ガラス、普通複層ガラス、単板ガラスをそれぞれ嵌め込み、外気再生室３０内を冷やして結露の発生を再現するようにしたものである。
【０００９】
【発明の実施の形態】
次に本発明の実施の形態を説明する。
図１は本発明の断熱材による温度差視認装置の全体斜視図、図２は同じく平面図、図３は同じく背面側から見た室内の斜視図一部断面図、図４はカメラとモニターの配線図、図５は室内の床板を一部切り欠いて従来の断熱材の厚さを示す斜視図、図６は同じく本発明の断熱材の厚さを示す斜視図、図７は高断熱仕様の壁の断面図、図８は低断熱仕様の壁の断面図、図９は低放射複層ガラスの断面図、図１０は普通複層ガラスの断面図、図１１は単板ガラスの断面図である。
【００１０】
図１、図２、図３において、本発明の断熱材による温度差視認体験装置の全体的な構成から説明する。
本発明の断熱材使用、非使用による温度差視認体験装置は、住宅建築予定者が設計の段階において、設計者と打ち合わせる時に使用する場所に配置しており、住宅建築予定者は本装置を見ながら、断熱材の役割と温度変化を視認的、体験的に把握することが出来るように構成しているのである。
【００１１】
体験場所の建物内に外気再生室３０が形成されて、その外気再生室３０内に体験用の高断熱仕様部屋１と低断熱仕様部屋２が左右二つ隣り合わせに設置されている。外気再生室３０は冬を再現する場合には冷却装置によって冷却し、夏を再現する場合には暖房装置によって暖房する。一方の高断熱仕様部屋１は高断熱材と石膏ボードや合板等の壁材を使用した壁６で囲んだ部屋であり、他方の低断熱仕様部屋２は従来の断熱材と壁材を使用した壁７で囲んだ部屋であり、それぞれの室内は密閉できて外気再生室３０と各部屋１・２の間で空気が流通して温度が変化しないようにしている。２９は時間が経過するに従って外気再生室３０内の温度に近づくので、室内温度を再現するために、同じ温度で暖房または冷房するためのエアコンディショナーである。
【００１２】
前記高断熱仕様部屋１と低断熱仕様部屋２と外気再生室３０の共通の壁と室外（廊下）３４との間の壁３にはガラス窓２５・２６が設けられ、室外３４からガラス窓２５・２６を透して各部屋１・２内の様子を覗けるようにしている。そのガラス窓２５・２６の側部における前記壁６・７が位置する部分の壁３には窓８・９または開口を設けて、室外３４から壁６・７の断面がガラスを透して見て、または、直接露出部分を触って、断熱材や壁材やその厚さやその材質等の状態が判るようにしている。
【００１３】
また、前記ガラス窓２５下方の高断熱仕様部屋１内の床４２には図６に示すように、切欠２７が設けられ、前記ガラス窓２６下方の低断熱仕様部屋２内の床４３には図５に示すように、切欠２８が設けられ、それぞれの部屋の床断面と断熱材の材質や厚さ等を外から見られるようにしている。
【００１４】
前記外気再生室３０と面する壁３（図１、図２）には、単板ガラス１０と（図１１）、普通複層ガラス１１と（図１０）、低放射複層ガラス１２（図９）が並べて配置され、結露の発生状態を把握できるようにしている。尚、本実施例では、単板ガラス１０は普通のガラス窓に使用されるガラスを一枚使用したものであり、普通複層ガラス１１は単に普通のガラスを二重としたものであり、低放射複層ガラス１２は外側のガラス内面に熱反射コーティングを施し、室内の熱が逃げないようにし、また、ガラスとガラスの間の層は熱伝導が小さくなるように密閉して真空層としている。
但し、低放射複層ガラス１２或いは普通複層ガラス１１は二層に限定せず三枚以上のガラスを仕様することで更に断熱性を高めることができる。
また、高断熱仕様部屋１と外気再生室３０の間の壁６には前記低放射複層ガラス１２を使用したガラス窓４が配置され、低断熱仕様部屋２と外気再生室３０の間の壁７には前記従来型の単板ガラス１０を設置したガラス窓５が配置されている。
【００１５】
そして、各部屋１・２内にはそれぞれ人体模型１７・１８と赤外線カメラからなる温度分布検知カメラ１９・２０が設置され、該温度分布検知カメラ１９・２０はそれぞれ人体模型１７・１８を写すように配置している。この温度分布検知カメラ１９・２０は人体模型１７・１８表面の各部の温度を検知できるようにしており、図３に示すように、Ａ／Ｄ変換器２１・２１、制御回路２２・２２を介してモニター１５・１６と接続され、該制御回路２２・２２にはそれぞれ温度センサー２３・２４が接続され、モニター１５・１６は後述する外気再生室３０外に配置されている。従って、温度分布検知カメラ１９・２０で写すと、このモニター１５・１６には人体模型１７・１８表面の温度が色分けされて映し出される。
但し、前記モニター１５・１６は一つとして画面を左右に分割することもでき、また、温度分布検知カメラ１９・２０は人体模型１７・１８以外の壁や床等を写して温度変化をモニター１５・１６で判るようにすることもできる。
【００１６】
前記温度センサー２３は図５に示すように、高断熱仕様部屋１の任意位置に配置され、温度センサー２４は図６に示すように、低断熱仕様部屋２の任意位置に配置されてそれぞれ室内温度を検知するようにし、また、温度センサー４１が外気再生室３０内の任意位置に設置されてその温度を検知し、その温度はモニター１５・１６に映し出すようにしている。
但し、図７、図８に示すように、別の温度表示装置３８・３９を室外に配置したり、ガラス窓２５・２６から見える位置に配置することも可能である。
【００１７】
そして、室外３４には断熱材または壁または床または窓のカットサンプル１３・１４が配置されて、実際の断熱構造と断熱材を手で触れるようにしている。また、各室内の温度や様子が判るようにモニター１５・１６が設置されている。また、ドア３５・３６・３７を設けて、各部屋に入ることができるようにして、温度差を肌で感じ取ることもできるようにしている。
【００１８】
このような構成において、高断熱仕様部屋１と低断熱仕様部屋２内及び室外３４の室温を２０〜２５度にして外気再生室３０内の温度を下げると、空気中の水蒸気が凝結して、単板ガラス１０の室外側の表面に図１１に示すように、結露４０が生じる。そして、次第に外気再生室３０内の温度が下がってくると、単板ガラス１０の室外側の表面の結露４０は大粒となり、普通複層ガラス１１表面には図１０のように薄く曇る程度となる。
しかし、低放射複層ガラス１２では高断熱仕様部屋１内の熱が逃げ難く、低放射複層ガラス１２の表面は図９のように透明のままであり、これら結露の発生が温度差視認体験装置の正面位置において体験できるのである。
【００１９】
また、高断熱仕様部屋１と低断熱仕様部屋２内において、室内の温度は外気再生室３０内の温度によって冷やされる（または温められる）が、高断熱仕様部屋１と低断熱仕様部屋２において、壁及び窓は断熱構造が異なるために、この冷やされる温度は異なり、この違いはモニター１５・１６で映し出されるのである。つまり、温度分布検知カメラ１９・２０によって人体模型１７・１８を写すと、その表面温度が色の違いによって表されて、温度の高低が一目で判るようにしている。そして、高断熱仕様部屋１と低断熱仕様部屋２内の各室内温度と外気再生室３０内の温度がモニターで表示されて、その差が判るようにしている。
【００２０】
【発明の効果】
本発明は、以上の如く構成したので、次のような効果を奏するのである。
請求項１の如く、冬や夏の外気状態を冷却装置と暖房装置により再生する外気再生室３０を設け、該外気再生室３０内に、高断熱材を使用して遮蔽した高断熱仕様部屋１と、低断熱材を使用して遮蔽した低断熱仕様部屋２を設け、該外気再生室３０内と高断熱仕様部屋１内と低断熱仕様部屋２内にそれぞれ温度センサー２３・２４を配置し、外気再生室３０の室外３４に温度表示装置を配置して、各部屋の温度をそれぞれ温度表示装置にて表示したので、外気再生室３０外で各部屋の温度が容易に把握することができ、高断熱仕様部屋１と低断熱仕様部屋２内の温度の差を目で視認できて、断熱性能を容易に認識することができるのである。
【００２１】
請求項２の如く、請求項１記載の室内の断熱効果視認体験装置において、該高断熱仕様部屋１と低断熱仕様部屋２内に温度分布検知カメラ１９・２０をそれぞれ配置し、外気再生室３０の室外３４に、該温度分布検知カメラ１９・２０の映像を映すモニター１５・１６を配置し、該モニター１５・１６で表面温度に応じた色に変えて、高断熱仕様部屋１と低断熱仕様部屋２内を表示したので、住宅建築予定者や見学者等は外気再生室３０で温度を下げたり上げたりしたときに、室内温度の変化が、外気再生室３０の外側から、高断熱仕様と低断熱仕様との温度差を色の違いによって目で容易に視認することができ、その温度差を見比べることによって断熱性能の違いを容易に認識することができるようになるのである。
【００２２】
請求項３の如く、請求項１記載の室内の断熱効果視認体験装置において、前記高断熱仕様部屋１と低断熱仕様部屋２の壁の一部の断面を外気再生室３０の室外３４から見えるようにしたので、室内の断熱効果を住宅建築予定者が十分に視認体験することが可能となったのである。
【００２３】
請求項４の如く、請求項１記載の室内の断熱効果視認体験装置において、前記高断熱仕様部屋１と低断熱仕様部屋２の床の一部の断面を外気再生室３０の室外３４から見えるようにしたので、実際に使用されている断熱材を見ることができて、その厚さや取付状態や材質等を視認することができるのである。
【００２４】
また、請求項５の如く、請求項１記載の室内の断熱効果視認体験装置において、外気再生室３０と室外３４の内外を仕切る壁に複数の窓を形成し、該窓に低放射複層ガラス、普通複層ガラス、単板ガラスをそれぞれ嵌め込み、外気再生室３０内を冷やして結露の発生を再現するようにしたので、外気再生室３０の外側から実際に結露が生じることを視認することができ、ガラスの断熱性能の違いによる結露の発生の違いも同時に視認することができるのである。
【図面の簡単な説明】
【図１】  本発明の断熱材による温度差視認装置の全体斜視図である。
【図２】  同じく平面図である。
【図３】  同じく背面側から見た室内の斜視図一部断面図である。
【図４】  カメラとモニターの配線図である。
【図５】  室内の床板を一部切り欠いて従来の断熱材の厚さを示す斜視図である。
【図６】  同じく床の断熱材の厚さを示す斜視図である。
【図７】  高断熱仕様の壁の断面図である。
【図８】  低断熱仕様の壁の断面図である。
【図９】  低放射複層ガラスの断面図である。
【図１０】  普通複層ガラスの断面図である。
【図１１】  単板ガラスの断面図である。
【符号の説明】
１    高断熱仕様部屋
２    低断熱仕様部屋
６・７  壁
１０  単板ガラス
１１  普通複層ガラス
１２  低放射複層ガラス
１５・１６  モニター
１９・２０  温度分布検知カメラ
２３・２４  温度センサー
３８・３９  温度表示装置
【図１】
0003667512.tif 000002
【図２】
0003667512.tif 000003
【図３】
0003667512.tif 000004
【図４】
0003667512.tif 000005
【図５】
0003667512.tif 000006
【図６】
0003667512.tif 000007
【図７】
0003667512.tif 000008
【図８】
0003667512.tif 000009
【図９】
0003667512.tif 000010
【図１０】
0003667512.tif 000011
【図１１】
0003667512.tif 000012